(57)【要約】      （修正有）【課題】硬貨が排出されたことを確実に操作者に認識させることができる硬貨収受装置および決済処理装置と、その決済処理装置の制御のための制御プログラムとを提供する。【解決手段】実施形態の硬貨収受装置は、貨幣識別手段、排出手段および報知手段を備える。硬貨識別手段は、投入口から操作者により投入された硬貨の種類を識別する。排出手段は、硬貨識別手段による識別に失敗した硬貨をリジェクト皿へと排出する。報知手段は、硬貨がリジェクト皿へと排出されたことに応じて、リジェクト硬貨が有ることを操作者に報知するための報知動作を行う。【選択図】図３
2015130117.tif 000002
【特許請求の範囲】
【請求項１】
投入口から操作者により投入された硬貨の種類を識別する硬貨識別手段と、
前記硬貨識別手段による識別に失敗した硬貨をリジェクト皿へと排出する排出手段と、
前記硬貨が前記リジェクト皿へと排出されたことに応じて、リジェクト硬貨が有ることを前記操作者に報知するための報知動作を行う報知手段とを具備したことを特徴とする硬貨収受装置。
【請求項２】
前記リジェクト皿内の硬貨を検出する検出手段をさらに備え、
前記報知手段は、前記検出手段が前記硬貨を検出しなくなったことに応じて前記報知動作を停止することを特徴とする請求項１に記載の硬貨収受装置。
【請求項３】
前記検出手段が前記硬貨を検出しているときには、前記投入口からの前記硬貨の投入を抑止する抑止手段を更に備えることを特徴とする請求項２に記載の硬貨収受装置。
【請求項４】
商品を販売登録する登録手段と、
前記登録手段により一取引に関して販売登録された全ての商品の合計金額を算出する合計算出手段と、
投入口から操作者により投入された硬貨の種類を識別する硬貨識別手段と、
挿入口から前記操作者により挿入された紙幣の種類を識別する紙幣識別手段と、
前記硬貨識別手段および前記紙幣識別手段による識別結果に基づいて投入金額を算出する投入算出手段と、
前記投入算出手段により算出された投入金額を預かり金の少なくとも一部として、前記合計算出手段により算出された合計金額についての精算を行う精算手段と、
前記硬貨識別手段による識別に失敗した硬貨をリジェクト皿へと排出する排出手段と、
前記硬貨が前記リジェクト皿へと排出されたことに応じて、リジェクト硬貨が有ることを前記操作者に報知するための報知動作を行う報知手段とを具備したことを特徴とする決済処理装置。
【請求項５】
前記リジェクト皿内の硬貨を検出する検出手段をさらに備え、
前記精算手段は、前記検出手段が前記硬貨を検出しているときには前記精算を行わないことを特徴とする請求項４に記載の決済処理装置。
【請求項６】
投入口から操作者により投入された硬貨の種類を識別する硬貨識別手段と、
挿入口から前記操作者により挿入された紙幣の種類を識別する紙幣識別手段と、
前記硬貨識別手段による識別に失敗した硬貨をリジェクト皿へと排出する排出手段と、
前記操作者に対する報知動作を実行する報知デバイスと、
を具備した決済処理装置を制御するためのコンピュータを、
商品を販売登録する登録手段と、
前記登録手段により一取引に関して販売登録された全ての商品の合計金額を算出する合計算出手段と、
前記硬貨識別手段および前記紙幣識別手段による識別結果に基づいて投入金額を算出する投入算出手段と、
前記投入算出手段により算出された投入金額を預かり金の少なくとも一部として、前記合計算出手段により算出された合計金額についての精算を行う精算手段と、
前記硬貨が前記リジェクト皿へと排出されたことに応じて、リジェクト硬貨が有ることを前記操作者に報知するための報知動作を実行するように前記報知デバイスを制御する制御手段として機能させるための制御プログラム。
【発明の詳細な説明】
【技術分野】
【０００１】
本発明の実施形態は、硬貨収受装置、決済処理装置および決済処理装置の制御プログラムに関する。
【背景技術】
【０００２】
コインセレクタは、投入口に規定外の硬貨が投入された場合に、当該硬貨を投入口の直下に設けた排出口から排出するものである。このコインセレクタは、ＰＯＳ（point-of-sale）端末などの決済処理装置に接続される硬貨収受装置や、硬貨収受機能を備えた決済処理装置において使用されている。しかしながら、コインセレクタは、硬貨を１枚ずつ投入する必要があるために、その作業は面倒である上に、長時間を要する。またコインセレクタは、硬貨の詰まりが発生することがしばしばある。
【０００３】
そこで、コインセレクタを設けずに、硬貨の種類を識別する識別装置での識別に失敗した硬貨をリジェクト皿に排出する構成とすることが考えられる。
【０００４】
しかしながら、コインセレクタでは一般に、規定外の硬貨は投入直後に排出されるのに対して、上記のようなコインセレクタを設けない構成においては、硬貨を投入してから、その硬貨がリジェクト皿に排出されるまでに要する時間が長くなってしまう。このため、リジェクト皿に硬貨が排出されたことを操作者が気づかず、硬貨がリジェクト皿に放置されてしまう恐れがあった。
【０００５】
このような事情から、硬貨が排出されたことを確実に操作者に認識させられることが望まれていた。
【先行技術文献】
【特許文献】
【０００６】
【特許文献１】特開２０１３−１１４３００号公報
【発明の概要】
【発明が解決しようとする課題】
【０００７】
本発明が解決しようとする課題は、硬貨が排出されたことを確実に操作者に認識させることができる硬貨収受装置および決済処理装置と、その決済処理装置の制御のための制御プログラムとを提供することである。
【課題を解決するための手段】
【０００８】
実施形態の硬貨収受装置は、貨幣識別手段、排出手段および報知手段を備える。硬貨識別手段は、投入口から操作者により投入された硬貨の種類を識別する。排出手段は、硬貨識別手段による識別に失敗した硬貨をリジェクト皿へと排出する。報知手段は、硬貨がリジェクト皿へと排出されたことに応じて、リジェクト硬貨が有ることを操作者に報知するための報知動作を行う。
【図面の簡単な説明】
【０００９】
【図１】一実施形態に係るセルフチェックアウト装置の外観の斜視図。
【図２】図１に示すセルフチェックアウト装置の一部を示す斜視図。
【図３】図１に示すセルフチェックアウト装置のブロック図。
【図４】図３中のＣＰＵのフローチャート。
【図５】警告画像の一例を示す図。
【発明を実施するための形態】
【００１０】
以下実施の形態の一例について図面を用いて説明する。なお、本実施の形態では、決済処理装置としてセルフチェックアウト装置を例に説明する。
【００１１】
図１は本実施形態に係るセルフチェックアウト装置１００の外観の斜視図である。図２はセルフチェックアウト装置１００の一部を示す斜視図である。なお本実施形態のセルフチェックアウト装置１００は、セルフチェックアウト式のＰＯＳ端末、あるいはセルフレジ装置とも呼ばれる。セルフチェックアウト装置１００は、買物客により操作される。従って、買物客がセルフチェックアウト装置１００の操作者である。
【００１２】
セルフチェックアウト装置１００は、本体１および計量ユニット２，３を含む。
【００１３】
本体１は、タッチパネル１０、スキャナ窓１１、ハンディスキャナ１２、レシート発行口１３、カード挿入口１４、硬貨投入皿１５、釣銭皿１６、リジェクト皿１７、紙幣挿入口１８および紙幣排出口１９を含む。
【００１４】
タッチパネル１０は、買物客に各種の情報を報知するための各種の画面を表示する。この画面は例えば、次のようなものである。(1)買物客に操作方法を知らせるための案内画面。(2)バーコードが付されていない商品の情報を入力するための情報入力画面。(3)バーコード読取りに基づく情報を表示する読取情報表示画面。(4)購入代金を支払う支払作業に際しての合計購入金額・預かり金額・釣り銭額などを表示する精算画面。これらの画面の一部はＧＵＩ（graphical user interface）を構成するものであって、タッチパネル１０はＧＵＩの操作のためのタッチ操作を受け付ける。
【００１５】
スキャナ窓１１は、本体１に形成した開口を透明な樹脂やガラスなどで覆って形成される。スキャナ窓１１は、スキャナ窓１１の前に買物客により翳された商品を、本体１の内部に配置される固定スキャナによりスキャン可能とする。固定スキャナについては後述する。
【００１６】
ハンディスキャナ１２は、商品に表示されたバーコードを読み取って、そのバーコードが表した情報を出力する。
【００１７】
レシート発行口１３は、レシートを本体１の外部に排出するためのスリット状の開口である。
【００１８】
カード挿入口１４は、カードを本体１の内部へと挿入し、またそのカードを本体１の外部へと排出するためのスリット状の開口である。
【００１９】
硬貨投入皿１５は、精算のために買物客が投入する硬貨を受ける。硬貨投入皿１５の底面には、開口１５ａが形成されており、硬貨投入皿１５が受けた硬貨は、開口１５ａから本体１の内部に取り込まれる。
【００２０】
釣銭皿１６は、本体１から釣銭として排出される硬貨を受ける。
【００２１】
リジェクト皿１７は、本体１から使用不能であるとして排出される硬貨を受ける。
【００２２】
紙幣挿入口１８は、精算のために買物客が挿入する紙幣を本体１の内部へと取り込むためのスリット状の開口である。
【００２３】
紙幣排出口１９は、本体１から釣銭としての紙幣を排出するためのスリット状の開口である。
【００２４】
計量ユニット２は、未登録の商品を載置するための台２ａを含む。計量ユニット２は、台２ａに載置された商品の総重量を計測する。
【００２５】
計量ユニット３は、登録済みの商品を載置するための台３ａ、３ｂと、登録済みの商品を入れる袋を掛けるアーム３ｃとを含む。計量ユニット３は、台３ａ、３ｂに載置された商品と、アーム３ｃに掛けられた袋に入れられた商品との総重量を計測する。
【００２６】
図３はセルフチェックアウト装置１００のブロック図である。なお、図３において図１，２と同一の部位には同一の符号を付し、その詳細な説明は省略する。
【００２７】
図３に示すようにセルフチェックアウト装置１００は、前述の計量ユニット２，３、タッチパネル１０およびハンディスキャナ１２の他に、ＣＰＵ（central processing unit）２０、ＲＯＭ２１（read-only memory）、ＲＡＭ（random-access memory）２２、固定スキャナ２３、プリンタ２４、カードリーダライタ２５、硬貨収受ユニット２６、硬貨センサ２７および紙幣収受ユニット２８を含む。そしてこれらＣＰＵ２０、ＲＯＭ２１、ＲＡＭ２２、固定スキャナ２３、プリンタ２４、カードリーダライタ２５、硬貨収受ユニット２６、硬貨センサ２７および紙幣収受ユニット２８は、本体１に収容されている。また、計量ユニット２，３、タッチパネル１０、ハンディスキャナ１２、ＣＰＵ２０、ＲＯＭ２１、ＲＡＭ２２、固定スキャナ２３、プリンタ２４、カードリーダライタ２５、硬貨収受ユニット２６、硬貨センサ２７および紙幣収受ユニット２８は、システムバスを含んだ通信システム２９を介して接続されている。
【００２８】
ＣＰＵ２０は、コンピュータの中枢部分に相当する。ＣＰＵ２０は、ＲＯＭ２１に記憶されたオペレーティングシステムおよびアプリケーションプログラムに基づいて、セルフチェックアウト装置１００の各種の機能を実現するべく各部を制御する。
【００２９】
ＲＯＭ２１は、上記コンピュータの主記憶部分に相当する。ＲＯＭ２１は、オペレーティングシステムおよびアプリケーションプログラムを記憶する。またＲＯＭ２１は、ＣＰＵ２０が各種の処理を行う上で参照するデータを記憶する場合もある。
【００３０】
ＲＡＭ２２は、上記コンピュータの主記憶部分に相当する。ＲＡＭ２２は、ＣＰＵ２０が各種の処理を行う上で参照するデータを記憶する。さらにＲＡＭ２２は、ＣＰＵ２０が各種の処理を行う上で一時的に使用するデータを記憶しておく、いわゆるワークエリアとして利用される。
【００３１】
固定スキャナ２３は、スキャナ窓１１の前に翳された商品を撮像した上で、当該商品に表示されたバーコードを画像処理によって識別する。そして固定スキャナ２３は、識別したバーコードが表す情報をＣＰＵ２０へ出力する。なお、固定スキャナ２３は、レーザ光の反射を利用してバーコードを識別するような他のタイプの周知のデバイスを利用することもできる。
【００３２】
プリンタ２４は、レシートをプリントする。プリンタ２４によりプリントされたレシートは、レシート発行口１３から本体１の外部へと排出される。
【００３３】
カードリーダライタ２５は、カード挿入口１４へと買物客によって挿入されるカードに記録されたデータを読み取るとともに、上記のカードへデータを書き込む。カードは、ポイントカードや精算用のＩＣカードなどである。カードリーダライタ２５は、必要な処理を終えたカードをカード挿入口１４から本体１の外部へと排出する。
【００３４】
硬貨収受ユニット２６は、識別ユニット２６ａ、計数ユニット２６ｂ、排出ユニット２６ｃおよび抑止ユニット２６ｄを含む。
【００３５】
識別ユニット２６ａは、硬貨投入皿１５の開口１５ａから本体１の内部に取り込まれた硬貨が、予め定めた複数種の硬貨のいずれであるかを識別する。識別ユニット２６ａとしては、周知の構成のものをそのまま用いることができる。この識別ユニット２６ａは、硬貨識別手段の一例である。
【００３６】
計数ユニット２６ｂは、識別ユニット２６ａにより識別に成功した硬貨について、種類毎の枚数を計数し、投入された硬貨の総額を算出する。
【００３７】
排出ユニット２６ｃは、識別ユニット２６ａにより識別に失敗した硬貨をリジェクト皿１７に排出する。排出ユニット２６ｃは例えば、識別ユニット２６ａを通過した硬貨をリジェクト皿１７に導く通路と、この通路へと識別ユニット２６ａを通過した硬貨を送り込むための開口を識別ユニット２６ａでの識別結果に応じて開閉する機構とにより構成される。この排出ユニット２６ｃは、排出手段の一例である。
【００３８】
抑止ユニット２６ｄは、シャッタと開閉機構とを含む。シャッタは、開口１５ａを開放または閉塞する２状態を選択的に形成する。開閉機構は、ＣＰＵ２０の指示の下にシャッタを駆動する。この抑止ユニット２６ｄは、抑止手段の一例である。なお図示は省略するが、硬貨収受ユニット２６は、釣銭としての硬貨を釣銭皿１６へと排出するユニットなどの別のユニットも備える。
【００３９】
硬貨センサ２７は、リジェクト皿１７に排出された硬貨を検出する。硬貨センサ２７としては、例えば硬貨の近接による磁界変化を検出するものや、硬貨による光路の遮断の有無を検出するものなどの、様々な周知のデバイスを利用できる。この硬貨センサ２７は、検出手段の一例である。
【００４０】
紙幣収受ユニット２８は、識別ユニット２８ａと計数ユニット２８ｂとを含む。
【００４１】
識別ユニット２８ａは、紙幣挿入口１８から挿入された紙幣を取り込み、当該紙幣が予め定めた複数種の紙幣のいずれであるかを識別する。識別ユニット２８ａは、識別に失敗した場合には、その紙幣を紙幣挿入口１８から排出する。識別ユニット２８ａとしては、周知の構成のものをそのまま用いることができる。この識別ユニット２８ａは、紙幣識別手段の一例である。
【００４２】
計数ユニット２８ｂは、識別ユニット２８ａにより識別に成功した紙幣について、種類毎の枚数を計数し、投入された紙幣の総額を算出する。なお図示は省略するが、紙幣収受ユニット２８は、釣銭としての紙幣を紙幣排出口１９から排出するユニットなどの別のユニットも備える。
【００４３】
次に以上のように構成されたセルフチェックアウト装置１００の動作について説明する。
【００４４】
セルフチェックアウト装置１００の動作モードとして、買物客の操作に応じて買上商品の決済を行うためのモードが設定されると、ＣＰＵ２０はＲＯＭ２１に記憶された制御プログラムに従って図４に示す処理を開始する。なお、以下に説明する処理の内容は一例であって、同様な結果を得ることが可能な様々な処理を適宜に利用できる。
【００４５】
Ａｃｔ１においてＣＰＵ２０は、買上商品を登録するための登録操作が行われたか否かを確認する。登録操作は、買上商品をスキャナ窓１１の前に翳す動作、買上商品に表示されたバーコードにハンディスキャナ１２を近接させる動作、あるいは買上商品を指定するべくタッチパネル１０にタッチする動作などにより行われる。買上商品がスキャナ窓１１の前に翳されると、固定スキャナ２３は、当該買上商品に表示されたバーコードを画像処理によって認識し、当該バーコードが表す情報をＣＰＵ２０に送る。バーコードにハンディスキャナ１２が近接されると、ハンディスキャナ１２はバーコードを識別し、当該バーコードが表す情報をＣＰＵ２０に送る。買上商品を指定するべくタッチパネル１０にタッチする動作が行われると、タッチパネル１０は、タッチ位置に関する位置情報をＣＰＵ２０に送る。ＣＰＵ２０は、上記のようにして買上商品を特定するための情報が送られて来ないならば、Ａｃｔ１にてＮＯと判定し、Ａｃｔ１での判断を繰り返す。つまりＡｃｔ１においてＣＰＵ２０は、買上商品を特定するための情報が送られて来るのを待ち受ける。そしてＣＰＵ２０は、買上商品を特定するための情報が送られて来たならば、Ａｃｔ１にてＹＥＳと判定し、Ａｃｔ２へと進む。
【００４６】
Ａｃｔ２においてＣＰＵ２０は、登録処理を行う。具体的にはＣＰＵ２０は、固定スキャナ２３またはハンディスキャナ１２から送られた情報に含まれる商品コードや、タッチパネル１０から送られたタッチ位置に関連付けられた商品コードを、買上商品の商品コードとして判定する。そしてＣＰＵ２０は、この商品コードで識別される商品を買上商品のリストに追加するべく、ＲＡＭ２２に設定された商品リストエリアの情報を更新する。この処理によりＣＰＵ２０は、登録手段として機能する。
【００４７】
Ａｃｔ３においてＣＰＵ２０は、新たな登録操作が行われたか否かを確認する。そしてＣＰＵ２０は、登録操作が行われていないならば、Ａｃｔ４へと進む。
【００４８】
Ａｃｔ４においてＣＰＵ２０は、代金の支払方法が指定されたか否かを確認する。支払方法の指定は、例えばタッチパネル１０に買物客がタッチすることにより行われる。ＣＰＵ２０は例えば、タッチパネル１０から位置情報が送られてきて、それが表す位置が支払方法を指定するための領域内であるかどうかを確認することで、代金の支払方法が指定されたか否かを確認する。そしてＣＰＵ２０は、支払方法が指定されていないならば、Ａｃｔ３に戻る。
【００４９】
かくしてＡｃｔ３，４においてＣＰＵ２０は、新たな登録操作が行われるか、あるいは支払方法の指定がなされるのを待ち受ける。買物客は、買上商品の全てを登録し終えるまで、各商品についての登録操作を繰り返す。そこでＣＰＵ２０は、新たな登録操作が行われたためにＡｃｔ３にてＹＥＳと判定したならば、Ａｃｔ２へと戻り、新たな登録操作に基づく登録処理を前記と同様にして行う。買物客は、買上商品の全てを登録し終えたならば、支払方法を指定する操作を行う。そこでＣＰＵ２０は、支払方法が指定されたためにＡｃｔ４にてＹＥＳと判定したならば、Ａｃｔ５へと進む。
【００５０】
Ａｃｔ５においてＣＰＵ２０は、支払方法として現金支払が指定されたか否かを確認する。そしてＣＰＵ２０は、現金支払以外の支払方法が指定されたためにＮＯと判定したならば、指定された支払方法に応じた処理へと進む。なお、現金支払以外の支払方法が指定された場合の処理は、本実施形態における特徴的な処理ではないので、図示および説明は省略する。ＣＰＵ２０は、現金支払が指定されたためにＡｃｔ５にてＹＥＳと判定したならば、Ａｃｔ６へと進む。
【００５１】
Ａｃｔ６においてＣＰＵ２０は、抑止ユニット２６ｄに対して、シャッタを開放状態とするように指示する。この指示に応じて抑止ユニット２６ｄは、シャッタを開放状態とする。なお、初期状態においては、シャッタは閉塞状態とされる。また後述するように、ＣＰＵ２０が１取引に関する処理が完了してＡｃｔ１の待ち受け状態に戻るときには、シャッタは閉塞状態とされる。従って、上記のようにシャッタが開放状態とされたことに応じて初めて、買物客が硬貨投入皿１５へと投入した硬貨が硬貨収受ユニット２６へと取り込まれる状態となる。
【００５２】
この状態において、買物客が硬貨投入皿１５へと硬貨を投入すると、この硬貨は開口１５ａを通って硬貨収受ユニット２６の識別ユニット２６ａへと１枚ずつ取り込まれる。そうすると識別ユニット２６ａは、硬貨の種類をそれぞれ識別する。この識別に失敗した硬貨は、排出ユニット２６ｃによってリジェクト皿へと排出される。計数ユニット２６ｂは、識別に成功した硬貨の枚数を、識別された種類毎に計数する。計数ユニット２６ｂはさらに、種類毎の金額に種類毎の枚数を乗じて求まる金額の総計として、投入された硬貨の総額（以下、硬貨投入額と称する）を算出する。
【００５３】
一方、買物客が紙幣挿入口１８に紙幣を挿入すると、この紙幣は紙幣挿入口１８を通って紙幣収受ユニット２８の識別ユニット２８ａに取り込まれる。そうすると識別ユニット２８ａは、紙幣の種類を識別する。この識別に失敗した紙幣は、識別ユニット２８ａによって紙幣挿入口１８から排出される。計数ユニット２８ｂは、識別に成功した紙幣の枚数を、識別された種類毎に計数する。計数ユニット２８ｂはさらに、種類毎の金額に種類毎の枚数を乗じて求まる金額の総計として、投入された紙幣の総額（以下、紙幣投入額と称する）を算出する。
【００５４】
ＣＰＵ２０は図４に示すのとは別タスクの処理により、硬貨投入額と紙幣投入額との和として預かり金額を算出する。そしてＣＰＵ２０は、預かり金額を表すとともに、精算の実行を指示するための精算ボタンを表した画面をタッチパネル１０に表示させる。この処理によりＣＰＵ２０は、投入算出手段として機能する。
【００５５】
Ａｃｔ７においてＣＰＵ２０は、リジェクトが発生したか否かを確認する。排出ユニット２６ｃは、硬貨を排出したならば、その旨をＣＰＵ２０に通知する。ＣＰＵ２０は、この通知を受けていなければ、Ａｃｔ７にてＮＯと判定し、Ａｃｔ８へ進む。
【００５６】
Ａｃｔ８においてＣＰＵ２０は、精算指示がなされたか否かを確認する。精算ボタンが配置された領域内の位置を表す位置情報が送られて来ないならば、ＣＰＵ２０はＮＯと判定する。そしてこの場合にＣＰＵ２０は、Ａｃｔ７に戻る。
【００５７】
かくしてＡｃｔ７，８においてＣＰＵ２０は、リジェクトが発生するか、あるいは精算指示がなされるのを待ち受ける。ＣＰＵ２０は、この待ち受け状態にあるときに、硬貨を排出した旨の通知を排出ユニット２６ｃから受けたならば、Ａｃｔ７にてＹＥＳと判定し、Ａｃｔ９へと進む。
【００５８】
Ａｃｔ９においてＣＰＵ２０は、抑止ユニット２６ｄに対して、シャッタを閉塞状態とするように指示する。この指示に応じて抑止ユニット２６ｄは、シャッタを閉塞状態とする。
【００５９】
Ａｃｔ１０においてＣＰＵ２０は、警告表示を開始するようタッチパネル１０に指示する。この指示に応じてタッチパネル１０は、警告画像の表示を開始する。警告画像は、排出された硬貨をリジェクト皿１７から除去するよう買物客に対して警告するものである。図５は警告画像の一例を示す図である。かくして、タッチパネル１０は報知デバイスの一例であり、また上記の処理によりＣＰＵ２０は制御手段として機能する。そしてこれらタッチパネル１０およびＣＰＵ２０の協働により、報知手段が実現されている。
【００６０】
Ａｃｔ１１においてＣＰＵ２０は、硬貨がリジェクト皿１７から除去されたか否かを確認する。硬貨がリジェクト皿１７に存在する場合、硬貨センサ２７がその硬貨を検出する。そこで硬貨センサ２７が硬貨を検出しているならば、ＣＰＵ２０はＡｃｔ１１にてＮＯと判定する。そしてこの場合にＣＰＵ２０は、Ａｃｔ１１に戻る。かくしてＡｃｔ１１においてＣＰＵ２０は、硬貨がリジェクト皿１７から除去されるのを待ち受ける。そして硬貨がリジェクト皿１７から除去されたために硬貨センサ２７が硬貨を検出しなくなったならば、ＣＰＵ２０はＡｃｔ１１にてＹＥＳと判定し、Ａｃｔ１２へと進む。
【００６１】
Ａｃｔ１２においてＣＰＵ２０は、警告表示を終了するようタッチパネル１０に指示する。この指示に応じてタッチパネル１０は、警告表示を終了する。
【００６２】
Ａｃｔ１３においてＣＰＵ２０は、抑止ユニット２６ｄに対して、シャッタを開放状態とするように指示する。この指示に応じて抑止ユニット２６ｄは、シャッタを開放状態とする。
【００６３】
そしてこののちにＣＰＵ２０は、Ａｃｔ７，８の待ち受け状態に戻る。
【００６４】
さて、買物客は、投入済みの現金により精算を進めたい場合、タッチパネル１０にて精算ボタンにタッチする。そうすると、タッチパネル１０は、精算ボタンが配置された領域内の位置を表す位置情報をＣＰＵ２０に送る。ＣＰＵ２０は、このような位置情報を受けたことに応じて、Ａｃｔ８にてＹＥＳと判定し、Ａｃｔ１４へと進む。
【００６５】
Ａｃｔ１４においてＣＰＵ２０は、抑止ユニット２６ｄに対して、シャッタを閉塞状態とするように指示する。この指示に応じて抑止ユニット２６ｄは、シャッタを閉塞状態とする。
【００６６】
Ａｃｔ１５においてＣＰＵ２０は、精算処理を実行する。すなわちＣＰＵ２０は、商品リストエリアに登録された買上商品の価格の総額、すなわち買上額を計算するとともに、この買上額を預かり金額から減じ、差額がある場合には釣銭を払い出すとともに、プリンタ２４にレシートをプリントさせる等の処理を行う。かくしてこの処理によりＣＰＵ２０は、合計算出手段および精算手段として機能する。
【００６７】
Ａｃｔ１６においてＣＰＵ２０は、精算が完了したか否かを確認する。例えば預かり金額が買上額よりも小さい場合、ＣＰＵ２０は精算を完了することができず、Ａｃｔ１６にてＮＯと判定することになる。この場合にＣＰＵ２０は、Ａｃｔ６に戻り、不足額の投入を受け付けるために、それ以降の処理を前述したように実行する。そしてＣＰＵ２０は、精算が完了したためにＡｃｔ１６にてＹＥＳと判定したならば、Ａｃｔ１の待ち受け状態に戻り、次の買物客に対する取り扱いが開始されるのに備える。
【００６８】
かくして、識別ユニット２６ａにて種類を識別することができなかった規定外の硬貨を排出した場合には、その硬貨をリジェクト皿１７から除去すべきであることが、警告表示によって買物客に通報される。これにより、リジェクト皿１７から硬貨を速やかに取り出すように買物客に促すことができ、リジェクト皿１７に硬貨が放置されてしまうことを防止できる。
【００６９】
さらに、規定外の硬貨が排出されてから、当該硬貨がリジェクト皿１７から除去されるまでの期間には、シャッタが閉塞状態とされる。投入された硬貨の一部が排出された場合には、預かり金額が、買物客が意図する金額に達しないから、買物客は硬貨を追加投入しようとする場合がある。しかしながら、硬貨がリジェクト皿１７から除去されない限りはシャッタが閉塞状態とされるから、買物客は硬貨を追加投入することができない。そして硬貨を追加投入するためには、買物客が硬貨をリジェクト皿１７から取り出さなければならない。かくして、シャッタを閉塞状態とすることは、買物客に硬貨をリジェクト皿１７から速やかに取り出させるための動機付けとなる。
【００７０】
また、規定外の硬貨が排出されてから、当該硬貨がリジェクト皿１７から除去されるまでの期間には、ＣＰＵ２０がＡｃｔ８へと進むことはなく、精算指示は受け付けられない。従って、硬貨がリジェクト皿１７から除去されない限りは、買物客は精算を指示することができない。そして精算を指示したい場合には、買物客がリジェクト皿１７から取り出さなければならない。かくして、精算指示を受け付けないことは、買物客に硬貨をリジェクト皿１７から速やかに取り出させるための動機付けとなる。
【００７１】
この実施形態は、次のような種々の変形実施が可能である。
【００７２】
前記実施形態のように排出ユニット２６ｃが硬貨を排出したことをトリガとして警告表示を開始するのに代えて、硬貨センサ２７が硬貨を検出するようになったことをトリガとして警告表示を開始しても良い。
【００７３】
報知動作としては、前記実施形態における表示に代えて、または加えて、警告音や音声メッセージの再生などの別の動作を行っても良い。この場合には、音声再生デバイスを追加して備える。そして例えば、「ポコッ」硬貨の落下音の擬音や、「読み取れないコインがあります。ご確認ください。」のような音声メッセージを再生する。再生メッセージは、一定の時間間隔毎などの予め定めたタイミング毎に繰り返し再生しても良い。
【００７４】
前記実施形態は、硬貨収受の機能を内蔵したセルフチェックアウト装置１００に関するが、硬貨収受の機能を内蔵したＰＯＳ端末などの他の種類の決済処理装置、硬貨収受の機能を備えた自動釣銭機などの決済処理装置以外の装置、あるいは独立した硬貨収受装置として実施することも可能である。なお実現形態によっては、操作者は買物客ではなく、店員となる場合がある。
【００７５】
なお、上記コンピュータの補助記憶部分に相当する補助記憶デバイスを設けて、この補助記憶デバイスにＲＯＭ２１およびＲＡＭ２２の機能の一部を持たせても良い。例えば、アプリケーションプログラムを補助記憶デバイスに記憶させても良い。補助記憶デバイスとしては、例えばＥＥＰＲＯＭ（electric erasable programmable read-only memory）、ＨＤＤ（hard disk drive）、あるいはＳＳＤ（solid state drive）などを使用できる。そしてこの場合、セルフチェックアウト装置１００のハードウェアと制御プログラムとが個別に譲渡された上で、制御プログラムが補助記憶デバイスへと書き込まれても良い。制御プログラムの譲渡は、磁気ディスク、光磁気ディスク、光ディスク、半導体メモリなどのようなリムーバブルな記録媒体に記録して、あるいはネットワークを介して行うことができる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…本体、２，３…計量ユニット、１０…タッチパネル、１１…スキャナ窓、１２…ハンディスキャナ、１３…レシート発行口、１４…カード挿入口、１５…硬貨投入皿、１６…釣銭皿、１７…リジェクト皿、１８…紙幣挿入口、１９…紙幣排出口、２０…ＣＰＵ、２１…ＲＯＭ、２２…ＲＡＭ、２３…固定スキャナ、２４…プリンタ、２５…カードリーダライタ、２６…硬貨収受ユニット、２６ａ…識別ユニット、２６ｂ…計数ユニット、２６ｃ…排出ユニット、２６ｄ…抑止ユニット、２７…硬貨センサ、２８…紙幣収受ユニット、２８ｂ…計数ユニット、２８ａ…識別ユニット、１００…セルフチェックアウト装置。
【図１】
2015130117.tif 000003
【図２】
2015130117.tif 000004
【図３】
2015130117.tif 000005
【図４】
2015130117.tif 000006
【図５】
2015130117.tif 000007